(57)【要約】【課題】簡易な構造でありながらも容易に使用することができる新規なゴルフ練習台を提供する。【解決手段】ゴルフ練習者５の荷重を支持する可変プレート２と、この可変プレート２の下方に配置されたベースプレート３と、上記可変プレート２の下面に回動自在に配置されてなるとともに該可変プレート２の一辺側に回動軸を有してなる補助脚２４と、この補助脚２４の先端が上記可変プレート２の下面側から離間する方向に付勢してなる弾性部材２３ｄと、上記可変プレート２の一辺側が高くなるよう傾斜させた際に該傾斜した可変プレート２を支持するとともにそれぞれ長さが異なる複数の支持部材４と、を備え、上記補助脚２４の先端には、上記可変プレート２の一辺側を上昇させることにより上記ベースプレート３の上面３１を転動する転動部材２９が配置されてなる【選択図】  図１
2007143577.tif 000002
【特許請求の範囲】
【請求項１】
ゴルフ練習者の荷重を支持する可変プレートと、この可変プレートの下方に配置されたベースプレートと、
上記可変プレートの下面側に回動自在に配置されてなるとともに該可変プレートの一辺側に回動軸を有してなる補助脚と、
この補助脚の先端が上記可変プレートの下面側から離間する方向に付勢してなる弾性部材と、
上記可変プレートの一辺側が高くなるよう傾斜させた際に該傾斜した可変プレートを支持するとともにそれぞれ長さが異なる複数の支持部材と、を備え、
上記補助脚の先端には、上記可変プレートの一辺側を上昇させることにより上記ベースプレートの上面を転動する転動部材が配置されてなることを特徴とするゴルフ練習台。
【請求項２】
前記可変プレートの下面には、前記補助脚の配置位置とは対称位置に、第２の補助脚が配置されてなることを特徴とする請求項１記載の何れかのゴルフ練習台。
【請求項３】
前記可変プレートは方形状に成形されてなり、前記補助脚の配置位置を基準として時計回り方向に９０度ずれた位置に第３の補助脚が、また、補助脚の配置位置を基準として反時計回り方向に９０度ずれた位置に第４の補助脚が、それぞれ配置されてなることを特徴とする請求項２記載のゴルフ練習台。
【請求項４】
前記ベースプレートには、前記補助脚、第２の補助脚、第３の補助脚又は第４の補助脚の何れかが、前記可変プレートの下面から少なくとも９０度以上回動した際に該補助脚、第２の補助脚、第３の補助脚又は第４の補助脚の先端が当接するストッパーが形成されてなることを特徴とする請求項１，２又は３記載の何れかのゴルフ練習台。
【請求項５】
前記ベースプレートには、前記複数の支持部材を位置決めする一方の位置決め部が形成されてなるとともに、該支持部材には、上記一方の位置決め部に対応した他方の位置決め部が形成され、上記一方の位置決め部と他方の位置決め部とは、該支持部材の上面に形成された傾斜方向を二通りのみに変更可能な形状とされてなることを特徴とする請求項３又は４記載の何れかのゴルフ練習台。
【発明の詳細な説明】
【技術分野】
【０００１】
本発明は、ゴルフの打席として傾斜面上に立った状態を再現することにより、傾斜面でのゴルフのスイングの練習等をするゴルフ練習台である。
【背景技術】
【０００２】
ゴルフをプレーする際に、ゴルフ場では様々な自然又は人工の地形が形成されていることから、傾斜面で球を打つことが必要となることがある。このような場合に備えて、ゴルフ場に行く事無く、傾斜面上で球を打つ練習をするため、ゴルフ練習台がこれまでにも多数提案されている。これら従来のゴルフ練習台では、ゴルフ練習者が乗る台を、適切に傾斜の角度を変える事ができ、或いは、適切に傾斜の方向を変える事ができるものが見られる（特許文献１参照）。なお、このようなゴルフ練習台の用途としては、ゴルフの練習に限られるものではなく、ゴルフ用具の購入前に、傾斜した状態での使い心地を試すための試し打ちに用いられることもある。
【特許文献１】特開２００１−１２９１４４号公報
【発明の開示】
【発明が解決しようとする課題】
【０００３】
しかしながら、これら従来のゴルフ練習台では、ゴルフ練習者が乗る台である可変プレートの傾斜角度を変えるための構成が複雑なものや、可変プレートの重量が大きく傾斜等の操作に労力を要してゴルフ練習者にとっては使いづらいもの等が多かった。
【０００４】
そこで、本発明は、上述した従来のゴルフ練習台が有する課題を解決するために提案されたものであって、簡易な構造でありながらも容易に使用することができる新規なゴルフ練習台を提供することを目的とするものである。
【課題を解決するための手段】
【０００５】
本発明は、上述した課題を達成するために提案されたものであって、第１の発明（請求項１記載の発明）は、ゴルフ練習者の荷重を支持する可変プレートと、この可変プレートの下方に配置されたベースプレートと、上記可変プレートの下面側に回動自在に配置されてなるとともに該可変プレートの一辺側に回動軸を有してなる補助脚と、この補助脚の先端が上記可変プレートの下面側から離間する方向に付勢してなる弾性部材と、上記可変プレートの一辺側が高くなるよう傾斜させた際に該傾斜した可変プレートを支持するとともにそれぞれ長さが異なる複数の支持部材と、を備え、上記補助脚の先端には、上記可変プレートの一辺側を上昇させることにより上記ベースプレートの上面を転動する転動部材が配置されてなることを特徴とするものである。
【０００６】
なお、この第１の発明では、このゴルフ練習台は、ゴルフ練習者が任意の箇所に設置することができるものであり、この任意の箇所にベースプレートが設置されるとともに、該ベースプレートの上方には可変プレートを位置されている。そして、この可変プレートの下面の一辺側に回動軸を介して補助脚が回動自在に配置されており、かつ、この補助脚はトーションバネ等の弾性部材により、該可変プレートの下面側から離間する方向、すなわち、下方に、ベースプレート側へと回動するように付勢してなる。このため、ゴルフ練習者が可変プレートの一辺側であって回動軸を有してなるものを上方に持ち上げることにより、補助脚に係る重力に加えて上記弾性部材による付勢により、上記補助脚は先端をベースプレート上を摺接しつつ回動するものとなり、このため、ゴルフ練習者は上記弾性部材の弾性力の補助されつつベースプレートを持ち上げるものとなる。なお、弾性部材は、このように補助脚を上記可変プレートの下面側から離間する方向に付勢するものであれば、どのような構成のものであっても良い。また、この補助脚の先端には転動部材が配置されており、該転動部材が上記ベースプレートを転動しつつ補助脚は回動する。そして、ゴルフ練習者は、可変プレートを傾斜させつつ上方に持ち上げた後、該可変プレートの下方に支持部材を配置し、その後該支持部材上に可変プレートを載置させることによって、該支持部材に可変プレートを傾斜した状態で支持させる。なお、この第１の発明に用いられる可変プレートは、特に形状は限定されるものでは無く、正方形にような方形状でも円形状でも良い。
【０００７】
また、第２の発明（請求項２記載の発明）は、上記第１の発明において、前記可変プレートの下面には、前記補助脚の配置位置とは対称位置に、第２の補助脚が配置されてなることを特徴とするものである。
【０００８】
この第２の発明では、第２の補助脚が上記第１の発明にいう補助脚とは対称位置に配置されてなるものである。すなわち、上記補助脚は、例えば可変プレートを方形状とした場合に、該可変プレートの一辺側に取り付けられるとともに、上記第２の補助脚は、該可変プレートの一辺側と対称となる他辺側に配置されてなるものとなっており、このため、上記の補助脚と第２の補助脚とは、互いに対向する二辺側それぞれに取り付けられてなるものとなっている。
【０００９】
また、第３の発明（請求項３記載の発明）は、上記第２の発明において、前記可変プレートは方形状に成形されてなり、前記補助脚の配置位置を基準として時計回り方向に９０度ずれた位置に第３の補助脚が、また、補助脚の配置位置を基準として反時計回り方向に９０度ずれた位置に第４の補助脚が、それぞれ配置されてなることを特徴とするものである。
【００１０】
この第３の発明では、特に前記可変プレートを正方形等の方形状とするとともに、前記補助脚及び第２の補助脚に加え、第３の補助脚及び第４の補助脚が配置されてなるものであり、これら４脚の補助脚は、それぞれ互いに９０度ずつずれた位置に配置されてなる。
【００１１】
また、第４の発明（請求項４記載の発明）は、上記第１，第２及び第３の発明において、前記ベースプレートには、前記補助脚、第２の補助脚、第３の補助脚又は第４の補助脚の何れかが、前記可変プレートの下面から少なくとも９０度以上回動した際に該補助脚、第２の補助脚、第３の補助脚又は第４の補助脚の先端が当接するストッパーが形成されてなることを特徴とするものである。
【００１２】
この第４の発明では、ゴルフ練習者が可変プレートを持ち上げた際には、上記弾性部材の作用により、上記補助脚、第２の補助脚、第３の補助脚又は第４の補助脚は該可変プレートの下面側から離間して下方へ回動し、該補助脚、第２の補助脚、第３の補助脚又は第４の補助脚は先端に配置された転動部材を転動させつつ該可変プレートの一辺側に移動するが、これら補助脚、第２の補助脚、第３の補助脚又は第４の補助脚は、ストッパーにより、一定の箇所以上に移動することを停止させられる。なお、このストッパーは、ストッパーとしてのみ機能する部材からなるものであっても良いが、他の目的で取り付けられた構成が本発明を構成するストッパーとしての機能も有するものとされても良い。
【００１３】
また、第５の発明（請求項５記載の発明）は、上記第３又は第４の発明において、前記ベースプレートには、前記複数の支持部材を位置決めする一方の位置決め部が形成されてなるとともに、該支持部材には、上記一方の位置決め部に対応した他方の位置決め部が形成され、上記一方の位置決め部と他方の位置決め部とは、該支持部材の上面に形成された傾斜方向を二通りのみに変更可能な形状とされてなることを特徴とする。
【００１４】
この第５の発明では、ベースプレート及び支持部材には、それぞれ一方の位置決め部及び他方の位置決め部が形成されており、これら一方の位置決め部及び他方の位置決め部が互いに適切な位置関係となったときにのみ、ベースプレートに支持部材を位置決めして設置することができるものとされている。これら一方の位置決め部及び他方の位置決め部としては、互いに適切な位置関係となったときにのみ係合する平面が双方に形成されてなるものとしても良く、或いは、互いに適切な位置関係となったときにのみ係合する凸部及び凹部が双方に形成されてなるものとしても良く、すなわち、これにより支持部材を二通りにのみ設置することが可能とされてなるものであればどのような構成であっても良い。
【発明の効果】
【００１５】
上記第１の発明（請求項１記載の発明）では、ゴルフ練習者が可変プレートの一辺を持ち上げる際には、上記弾性部材の弾性力が作用することにより、該可変プレートの重量が大きい場合であっても容易に持ち上げることが可能となる。また、この発明では、上記補助脚の先端には転動部材が配置されているので、上記可変プレートを持ち上げる際に該転動部材がベースプレート上で転動しつつ移動するものとなり、抵抗が少なく極めて操作性が良好となり、また、再び持ち上げた可変プレートを下ろして該可変プレートを水平にする場合であっても抵抗が少なく極めて操作性が良好となる。
【００１６】
上記第２の発明（請求項２記載の発明）では、可変プレートの下面には、上記第１の発明を構成する補助脚とは別に第２の補助脚が配置されてなり、これら補助脚と第２の補助脚とは互いに対称位置に配置されていることから、補助脚により一方向に可変プレートを傾斜することができるとともに、該補助脚による傾斜とは対称となる逆方向にも傾斜することが可能となり、ゴルフ練習者は多様な状況でゴルフの練習をすることができる。
【００１７】
上記第３の発明（請求項３記載の発明）では、可変プレートの下面には、上記第２の発明を構成する補助脚及び第２の補助脚とは別に第３の補助脚及び第４の補助脚が配置されてなり、これら補助脚，第２の補助脚，第３の補助脚及び第４の補助脚は互いに９０度ずれた位置に配置されていうことから、これら補助脚，第２の補助脚，第３の補助脚及び第４の補助脚により可変プレートを四方向へ傾斜することが可能となり、ゴルフ練習者はより多様な状況でのゴルフの練習をすることができる。
【００１８】
上記第４の発明（請求項４記載の発明）では、可変プレートの一辺を持ち上げ、上記補助脚が弾性部材の弾性力により９０度以上回動させることにより上記ストッパーに当接させると、作業者又はゴルフ練習者が手を離しても、可変プレートは該補助脚に支持された状態となり、傾斜した状態を維持する。したがって、ゴルフ練習者は、支持部材を設置や交換の際に両手を用いることが可能となり、より使い勝手が良好となる。
【００１９】
上記第５の発明（請求項５記載の発明）では、支持部材を誤った方向に向けて設置することを防ぐことができる。すなわち、上記支持部材の上面に傾斜して載置された可変プレートがガタツキを防ぐ為に、該支持部材の上面には、載置される該可変プレートの傾斜角度（この傾斜角度は、該支持部材の長さに応じて規定される）に設定された傾斜面が形成されてなるものとする。しかし、このように傾斜面が形成される場合には、該可変プレートの傾斜の方向と一致するように該支持部材を設置しなければかえって可変プレートのガタツキが大きなものとなる。このため、支持部材の向きが適切なものであるときにのみ該支持部材の設置がすることができるものとすることが望ましいことから、支持部材とベースプレート上の該支持部材が設置される箇所それぞれには、互いに係合する位置決め部をそれぞれ設けて、これらの部材が適切に係合した場合にのみ該支持部材の設置をすることができるものとすることが考えられる。また、上記第３の発明及び第４の発明では、可変プレートの傾斜の向きについて、一の傾斜の向きとは直交する他の傾斜の向きとすることが可能であり、ベースプレート上に支持部材を設置する場合には、該支持部材の向きとしては互いに直交する方向とされた二通りが考えられる。このため、この第５の発明では、上記ベースプレートに形成された一方の位置決め部と、支持部材に形成された他方の位置決め部とが、互いに対応したものとなるとともに、傾斜方向を二通りのみに変更可能な形状とされてなることから、上記支持部材を誤って設置する可能性を減らすことができる。
【発明を実施するための最良の形態】
【００２０】
以下、本発明に係るゴルフ練習台の最良の形態を、図面を参照しながら詳細に説明する。
【００２１】
このゴルフ練習台１は、図１に示すように、可変プレート２，ベースプレート３及び支持部材４を備えるものであり、図２に示すように、ゴルフ練習者５が該可変プレート２上に乗ってゴルフボールＢを設置して打つことにより、ゴルフの練習や、或いは、ゴルフ用具の購入前の試し打ち等をするものである。この可変プレート２は略正方形状に成形されるものであって、ベースプレート３に載置されている。また、ベースプレート３は、上面に上記可変プレート２に対応する大きさ及び形状（正方形状）の可変プレート載置部３１が形成されており、該可変プレート載置部３１内に該可変プレート２が載置される。また、正方形状とされた上記ベースプレート３を構成する可変プレート載置部３１の四隅には、それぞれ上記支持部材４に対応する大きさ及び形状の支持部材固定部３３が形成されている。このため、ゴルフ練習者５が、上記可変プレート載置部３１内の可変プレート２の一辺側を持ち上げて上昇させ、上記の４つの支持部材固定部３３の内、該可変プレート２の一辺側に対応する任意の２つの支持部材固定部３３であって互いに隣り合うものの中に上記支持部材４を配置し、該支持部材４の上面に上記可変プレート２を載置することにより、該支持部材４は、該可変プレート２の一辺側が高くなるよう傾斜させた状態で該傾斜した可変プレート２を支持するものとなる。以下、上記可変プレート２，ベースプレート３及び支持部材４それぞれの構成について詳細に説明する。
【００２２】
上記可変プレート２は、図１ないし図４に示すように、天板２１と、該天板２１の下面側に固定されてなる補強材２２と、バネ蝶番２３を介して天板２１の下面方向に回動可能に取り付けられてなる補助脚２４と、該天板２１の外周にそれぞれ固定されてなる４つの把持部２５とから構成されている。上記天板２１は、上記の通り正方形状とされたベニア板材からなる。なお、ここに示すゴルフ練習台１の実施例では図示を省略するが、この天板２１の上面に人工芝や天然芝を敷設することにより、該ゴルフ練習台１の使用の際により臨場感があるものとしても良く、更に、これら人工芝や天然芝の長さや向きが異なるものを複数の物を用意し、これらを適宜交換可能とすることにより、様々な状態に置かれたゴルフボールを打つ練習を可能とするものとしても良い。また、上記補強材２２は、上記天板２１の下面側であって、周辺部四辺に固定されてなる外周補強材２２ａと、該天板２１の下面側であって、該天板２１の互いに対向する二辺の中央を互いに結ぶ二つの線上に位置して、直交して十字状とされてなる中央補強材２２ｂと、該天板２１の下面側であって、該天板２１の互いに対角に位置する隅部同士を結ぶ二つの対角線上に位置して十字状とされてなる対角補強材２２ｃとからなるものである。これら外周補強材２２ａ，中央補強材２２ｂ及び対角補強材２２ｃは、何れも金属製の角管からなるものであって、図３及び図４に示すように、互いに溶接されて、上記天板２１の外周周端，中央線上及び対角線上に位置するように、該天板２１と図示しないリベット等により固定されており、これにより、該天板２１上にゴルフ練習者５が乗った場合に、その荷重に耐えて支持するものとなっている。
【００２３】
また、図３及び図４に示すように、上記天板２１の下面側には、中央補強材２２ｂと隣接して平行して、４つの補助脚２４が配置されている。これらの補助脚２４は、上記天板２１の下面側に位置する上記外周補強材２２ａ上であって、該外周補強材２２ａと中央補強材２２ｂとの交点に隣接して取り付けられた取付部材２８と、該取付部材２８に取り付けられたバネ蝶番２３を介して固定されており、かつ、これらの補助脚２４は、該天板２１に接した状態から該天板２１の下面側から離間する方向に回動可能とされている。このバネ蝶番２３は、図５（この図５は、バネ蝶番２３を斜め上方から観察した状態を示すものであり、天板２１は図示を省略している。）に示すように、２つの羽根２３ａ，２３ｂと、軸体２３ｃと、バネ体２３ｄとから構成される。これら２つの羽根２３ａ，２３ｂは、それぞれ軸体２３ｃを介して互いに回動可能とされてなり、バネ体２３ｄの中心には、該軸体２３ｃが同軸とされて挿通されている。また、バネ体２３ｄの両端２３ｅ，２３ｆは、それぞれ羽根２３ａ，２３ｂ上に突出して当接しており、それぞれ羽根２３ａ，２３ｂに対して互いに離間する向きに弾性力を作用する。また、上記羽根２３ａは、Ｌ字状に折曲されてなる金属板である取付部材２８に、図中に示すようにネジ又はリベット（符号は省略する）により固定されてなり、該取付部材２８は上記外周補強材２２ａ及び中央補強材２２ｂに溶着されており、また、上記羽根２３ｂは、補助脚２４に、図中に示すようにネジ又はリベット（符号は省略する）により固定されている。したがって、上記補助脚２４は、上記バネ体２３ｄの弾性力の作用により、該補助脚２４の先端が天板２１の下面側から離間する方向に付勢されてなる。なお、このバネ蝶番２３を構成する軸体２３ｃは、上記のように４つの補助脚２４を回動するための軸であり、本発明を構成する回動軸であり、また、このバネ蝶番２３を構成するバネ体２３ｄは、本発明を構成する弾性部材である。また、把持部２５は、上記天板２１及び外周補強材２２ａの４つの側面それぞれに固定されてなるＬ字状に折曲された金属板であって、ゴルフ練習者５が可変プレート２を操作する際に、該把持部２５を把持して操作することができる。また、上記４つの補助脚２４の先端には、それぞれキャスター２９が配置されている。このため、ゴルフ練習者５が上記把持部２５を操作して可変プレート２を一辺側が高くなるよう傾斜させる際には、上記補助脚２４の先端に配置された上記キャスター２９が上記可変プレート載置部３１の上面を転動することにより、該補助脚２４が抵抗が少なくスムーズに回動するものとなり、該可変プレート２の操作が極めて良好なものとなる。なお、上記キャスター２９は、本発明を構成する転動部材である。
【００２４】
また、図１に示すように、上記ベースプレート３上には、上記可変プレート２が載置される可変プレート載置部３１が形成されている。この可変プレート載置部３１は、上述の通り、図１に示すように上記可変プレート２と対応する大きさ及び形状（正方形状）とされ、また、図６に示すように、該可変プレート２の高さと対応する深さを有する凹部となっている。なお、この可変プレート載置部３１は、本発明を構成するベースプレートの上面である。この可変プレート載置部３１の外周の４辺それぞれの中央には、上記可変プレート２を構成する把持部２５に対応する把持用凹部３２が形成されている。この把持用凹部３２は、可変プレート２を上記可変プレート載置部３１内に載置された際に、上記把持部２５が入る箇所であって、また、ゴルフ練習者５が該把持部２５を把持しやすいものとするため、図２及び図７に示すように、該把持用凹部３２は、該把持部２５との間に少なくともゴルフ練習者５の指が入り、該把持部２５の操作ができる程度の大きさとされている。また、この可変プレート載置部３１の外周にて直立する４つの内壁３１ａは、上記可変プレート２を傾斜した際に９０度以上回動した補助脚２４の先端に配置されたキャスター２９が当接する箇所である。なお、このゴルフ練習台１の設計により上記補助脚２４の取付箇所は可変プレート２の下面の何れの箇所でも良いが、該可変プレート２を傾斜した際に９０度以上回動した補助脚２４の先端に配置されたキャスター２９が当接するのは、特に上記把持用凹部３２内であってもよい。なお、上記４つの内壁３１ａ又は上記把持用凹部３２は、本発明を構成するストッパーである。また、上述の通り、上記ベースプレート３を構成する可変プレート載置部３１の四隅には、上記支持部材４の大きさ及び形状に対応する支持部材固定部３３が形成されている。この支持部材固定部３３は、後述するように略角柱状の形状とされた支持部材４が挿入されて設置する箇所であって、図８に示すように、該支持部材固定部３３の内部の角の内、可変プレート載置部３１自体の隅部の頂点と一致する角には、固定部側位置決め部３４が形成されている。この固定部側位置決め部３４は、水平断面形状が正方形の４つの角部の中の１つの角部を切り落として平面部が形成されてなるものであって、上記支持部材４に形成された支持部材側位置決め部４１，４２と対応して、該固定部側位置決め部３４と支持部材側位置決め部４１，４２とが互いに係合する向きである場合に限り、該支持部材４が支持部材固定部３３内に設置することができるものとされている。また、上記支持部材４には、後述するように、２つの支持部材側位置決め部４１，４２が形成されており、このため、該支持部材４は、上面に形成された傾斜面４３の傾斜方向を二通りのみに限定して設置されるものとなっている。なお、上記固定部側位置決め部３４は、本発明を構成する一方の位置決め部である。
【００２５】
また、図２に示すように、ゴルフ練習者５が本発明に係るゴルフ練習台１からゴルフボールＢを打った場合、該ゴルフボールＢは図２中に矢印で示す向きに飛び、図２の向かって右側に位置する図示しない壁面に当たり、跳ね返った該ゴルフボールＢは図６中に示すように傾斜した傾斜面３５を転がり、溝状とされたボール受け３６内に溜まる。なお、ベースプレート３は、設置面Ｇ上に設置されるものであり、また、該ベースプレート３上に係る荷重に対するため、適宜補強部材３９が設けられているが、詳細については説明を省略する。また、上記ベースプレート３の可変プレート載置部３１の中心には、図１，図６及び図８等に示すように、上方に開口を有する開口であるバネ部材固定部３７が形成されており、また、該バネ部材固定部３７内にはバネ部材３８が固定されている。上記バネ部材固定部３７は、水平断面が正方形とされ、可変プレート載置部３１から上記設置面Ｇに渡って垂直方向に形成されてなるものである。また、上記バネ部材３８は、上記バネ部材固定部３７内に入る直径を有し、全長を伸長する向きに弾性力を及ぼす金属製のバネである。すなわち、上記バネ部材３８は、上方から負荷となる可変プレート２の荷重が掛からない場合には、図１に示すように上記バネ部材固定部３７内から突出する程度の長さとなり、また、上方から可変プレート２の荷重が負荷として掛かる場合には、該バネ部材３８の上端は、図６に示すように、該可変プレート２の中央補強材２２ｂ及び対角補強材２２ｃの交点付近に当接し、該バネ部材固定部３７内に収納されつつ、該可変プレート２を上方に持ち上げるように弾性力を作用する。なお、このバネ部材３８の弾性力の大きさは、上記補助脚２４を回動するバネ蝶番２３のバネ体２３ｄの弾性力と合わせた場合に、上記可変プレート２の荷重を支えることができない範囲内で最も大きい程度である。このため、この可変プレート２は、通常は上記可変プレート載置部３１内に水平を維持して位置するとともに、後述するように該可変プレート２をゴルフ練習者５が持ち上げて傾斜させる際には、上記バネ体２３ｄの弾性力に加えて、上記バネ部材３８の弾性力が作用することにより、該ゴルフ練習者５の負担は該可変プレート２の重量よりも軽いものとすることができる。なお、本発明の実施例では、上記可変プレート載置部３１上にはバネ部材３８を一つ取り付けているが、このように可変プレート２の下面に弾性力を及ぼすバネ部材を二以上取り付けても良い。すなわち、このバネ部材３８に必要な弾性力、バネ定数は、可変プレート２の重量や天板２１と可変プレート載置部３１との間に収まる必要性と、上記バネ体２３ｄの弾性力等を考慮して適宜定められるものであることから、この必要性に応じてこのゴルフ練習台１の設計に際してバネ部材の数量は適宜選択される。また、この実施の形態に係るゴルフ練習台１では、上記バネ部材３８はバネ部材固定部３７内に固定されているが、可変プレート載置部３１上に固定されてなるものとしても良く、或いは、該バネ部材３８の上端が該可変プレート２の下面に固定され、下面が該可変プレート載置部３１上に当接することにより、該バネ部材３８が該可変プレート２を上方に向かうように弾性力を及ぼすものとしても良い。
【００２６】
また、上記支持部材４は、図９に示すように、略角柱状に成形されてなるものである。この支持部材４の断面は略正方形状とされているが、上述の通り、正方形から２つの隣り合う角部が上端から下端にかけて切り落とされて、支持部材側位置決め部４１，４２が形成されており、また、上記ベースプレート３を構成する支持部材固定部３３内に入るように対応する形状とされている。また、上記支持部材４の上端から上端側中途部にかけては、傾斜面４３が形成されている。この傾斜面４３は、上記支持部材側位置決め部４１，４２が形成された角部側（図９中に示す辺Ａの側）から、該支持部材側位置決め部４１，４２が形成されていない角部側（図９中に示す辺Ｂの側）へと低くなるように傾斜するものとされている。なお、この傾斜面４３の傾斜角度は、この支持部材４を上記支持部材固定部３３内に上方から差し込まれて設置され、該支持部材４の傾斜面４３上に上記可変プレート２が載置されて該支持部材４が該可変プレート２を支持するときに、該傾斜面４３と該可変プレート２の下面（すなわち、該傾斜面４３と当接する外周補強材２２ａ又は対角補強材２２ｃの下面）との間が、図１１ないし図１３に示すように、隙間無く密接するものとされている。また、この傾斜面４３上には、該傾斜面４３と当接する上記可変プレート２の下面との滑り止めのために、ゴム板が貼付されているが、このゴム板は図示を省略する。
【００２７】
上記支持部材４は上記のような構成でなるものであることから、上述の通り、支持部材４が上記ベースプレート３の支持部材固定部３３内に設置される際には、上記支持部材側位置決め部４１，４２は上記ベースプレート３の固定部側位置決め部３４と係合することから、上記の設置の際には傾斜面４３の傾斜方向を二通りのみに限定される。すなわち、例えば図８に示す４つの支持部材固定部３３の中で、左上に位置する支持部材固定部３３（図８中でＣで示す）に支持部材４を設置する場合には、該支持部材４は、該支持部材４の上記辺Ａを、図８中に示す支持部材固定部３３（の内のＣ）のＤ或いはＥの辺の向きにした場合にのみ設置することができる。つまり、上記支持部材４を、辺Ａを図８中の支持部材固定部３３（の内のＣ）のＤの辺の向きにして設置した場合には、該支持部材４は、上記可変プレート２を、図２中に示す第１の辺αを持ち上げて傾斜した状態で支持するものとされ、この場合には、図８に示す支持部材固定部３３のＣの他に、Ｆの支持部材固定部３３にも支持部材４を設置する。また、上記支持部材４を、辺Ａを図８中の支持部材固定部３３（の内のＣ）のＥの辺の向きにして設置した場合には、該支持部材４は、上記可変プレート２を、図２中に示す第４の辺δの辺を持ち上げて傾斜した状態で支持するものとされ、この場合には、図８に示す支持部材固定部３３のＣの他に、Ｇの支持部材固定部３３にも支持部材４を設置する。なお、この支持部材４は、上記可変プレート２を傾斜した状態で下方から支持する為に、２本を一組として用いるものとされており、また、該可変プレート２の支持の際に該可変プレート２の傾斜角度を、図１１ないし図１３に示すように、３段階に設置することができるものとするために、三組６本の支持部材４を用意されている。すなわち、この支持部材４の長さを長いものとすることにより、上記可変プレート２の傾斜角度をより急なものとすることが可能であり、ゴルフ練習者５は、自己が練習することを希望する傾斜角度に合わせて、適宜適切な支持部材４を選択して用いることができる。なお、支持部材４の長さが長いものである場合には、より支持部材４の傾斜面４３の傾斜角度はより急なものとされるが、該傾斜面４３の傾斜角度は、該傾斜面４３と上記可変プレート２の下面との間の隙間が無く密接なものとなるようにされている。なお、ここで用いる支持部材４の内、一番長い物を用いた場合には、上記可変プレート２２の傾斜角度が、一般的なゴルフ場での最大の傾斜角度とほぼ同じ角度となるものとされており、これよりも短い支持部材４を用いた場合は、上記の一般的なゴルフ場での最大の傾斜角度の約３分の２及び約３分の１となるようにされている。
【００２８】
本発明の実施の形態に係るゴルフ練習台１は、上記のような構成からなるものであるが、以下、このゴルフ練習台１の使用方法について説明する。先ず、ゴルフ練習者５は、自己がこのゴルフ練習台１を用いて練習する状況について、傾斜方向及び角度を決定する。すなわち、ゴルフ練習者５は、傾斜方向を決定する場合には、図２に示す状態において、可変プレート２の四辺のうち、第１の辺α，第２の辺β，第３の辺γ或いは第４の辺δの何れかの辺を持ち上げるかを決定する。なお、上記ゴルフ練習者５が右利きである場合には、可変プレート２の第１の辺αを持ち上げて傾斜させる場合には、いわゆるつま先下がりの状態での練習が可能となり、可変プレート２の第２の辺βを持ち上げて傾斜させる場合には、いわゆる左下がりの状態での練習が可能となり、可変プレート２の第３の辺γを持ち上げて傾斜させる場合には、いわゆるつま先上がりの状態での練習が可能となり、また、可変プレート２の第４の辺δを持ち上げて傾斜させる場合には、いわゆる右下がりの状態での練習が可能となる。なお、上記可変プレート２の第１の辺αを持ち上げて傾斜させる場合には、上記図８に示す４つの支持部材固定部３３の内、ＤとＦに支持部材４を設置し、かつ、該支持部材４の傾斜面の高い方の辺（図９中で示す辺Ａ）を、図２に示す第１の辺αの側に向けて設置する。また、上記可変プレート２の第２の辺βを持ち上げて傾斜させる場合には、上記図８に示す４つの支持部材固定部３３の内、ＦとＨに支持部材４を設置し、かつ、該支持部材４の傾斜面の高い方の辺（図９中で示す辺Ａ）を、図２に示す第２の辺βの側に向けて設置する。また、上記可変プレート２の第３の辺γを持ち上げて傾斜させる場合には、上記図８に示す４つの支持部材固定部３３の内、ＧとＨに支持部材４を設置し、かつ、該支持部材４の傾斜面の高い方の辺（図９中で示す辺Ａ）を、図２に示す第３の辺γの側に向けて設置する。また、上記可変プレート２の第４の辺δを持ち上げて傾斜させる場合には、上記図８に示す４つの支持部材固定部３３の内、ＥとＧに支持部材４を設置し、かつ、該支持部材４の傾斜面の高い方の辺（図９中で示す辺Ａ）を、図２に示す第４の辺δの側に向けて設置する。また、この実施の形態に係るゴルフ練習台１ではそれぞれ長さ及び傾斜が異なる支持部材を三組６本用いることができることから、
ゴルフ練習者５は、傾斜角度を決定する場合には、急なものから緩やかものにかけて３つの傾斜角度から選択することができる。
【００２９】
上記のようにゴルフ練習者５が可変プレート２の傾斜方向及び角度について決定した場合には、該ゴルフ練習者５は、該可変プレート２を持ち上げる。この場合、ゴルフ練習者５は、傾斜により上方に位置することとなる可変プレート２の第１の辺α，第２の辺β，第３の辺γ或いは第４の辺δの何れかの辺を持ち上げるのであり、その持ち上げる際に、可変プレート２の辺に設置された把持部２５を把持することで持ち上げの操作が容易なものとなる。そして、上記可変プレート２を持ち上げる際には、上述の通り、該可変プレート２の下面側に配置されてなる補助脚２４が、バネ体２３ｄにより該可変プレート２の下面から離間する方向に付勢されてなるとともに、可変プレート２自体がバネ部材３８により上方に付勢されてなり、該補助脚２４は、図１０中で点線で示すように、該可変プレート２を持ち上げつつ、かつ、該補助脚２４の先端に取り付けられたキャスター２９が該バネ体２３ｄの弾性力により可変プレート載置部３１の上面を転動する。このように、ゴルフ練習者５は、上記のようにバネ体２３ｄの弾性力を受けた補助脚２４に支持されながら上記可変プレート２を持ち上げることができるため、該可変プレート２の重量自体よりも軽い力で、容易に持ち上げることができる。そして、上記可変プレート２を持ち上げた高さに比例して上記補助脚２４は徐々に回動し、該可変プレート２が一定の高さ以上に持ち上げられた際に、該補助脚２４は該可変プレート２の下面から少なくとも９０度以上回動した状態となり、かつ、該補助脚２４の先端に配置されたキャスター２９は、上記可変プレート載置部３１の内壁３１ａ（設計によっては、把持用凹部３２）と当接する。このようにキャスター２９が上記内壁３１ａ又は把持用凹部３２と当接した場合には、ゴルフ練習者５は、上記可変プレート２から手を離しても、該可変プレート２は補助脚２４により支持されて傾斜した状態を維持する。なお、このように可変プレート２を持ち上げたときには、図１０に示す実線又は破線で示した補助脚２４以外の他の３つの補助脚２４も同様に回動するが、これら他の３つの補助脚２４に付いては図１０において図示を省略する。
【００３０】
このように上記ゴルフ練習者５は上記可変プレート２を持ち上げて傾斜した状態を維持させた後に、該ゴルフ練習者５は支持部材４を支持部材固定部３３内に設置する。すなわち、上記の状態では、ゴルフ練習者５が上記可変プレート２から手を離しても、該可変プレート２は持ち上げられて傾斜した状態を維持することができることから、ゴルフ練習者５は、両手で支持部材４の設置をすることができる。そして、ゴルフ練習者５は、上記傾斜角度の選択に応じて適切な長さの支持部材４を一組２つを用意し、該支持部材４を上記支持部材固定部３３内に設置をするが、ここで設置する支持部材４を設置する２つの支持部材固定部３３及び該支持部材４の傾斜面４３の向きは、上述したようなものとなる。すなわち、図２に示す上記可変プレート２の第１の辺αを持ち上げて傾斜させる場合には、上記図８に示す４つの支持部材固定部３３の内、ＤとＦに支持部材４を設置し、かつ、該支持部材４の傾斜面の高い方の辺（図９中で示す辺Ａ）を、図２に示す第１の辺αの側に向けて設置し、また、上記可変プレート２の第２の辺βを持ち上げて傾斜させる場合には、上記図８に示す４つの支持部材固定部３３の内、ＦとＨに支持部材４を設置し、かつ、該支持部材４の傾斜面の高い方の辺（図９中で示す辺Ａ）を、図２に示す第２の辺βの側に向けて設置し、また、上記可変プレート２の第３の辺γを持ち上げて傾斜させる場合には、上記図８に示す４つの支持部材固定部３３の内、ＧとＨに支持部材４を設置し、かつ、該支持部材４の傾斜面の高い方の辺（図９中で示す辺Ａ）を、図２に示す第３の辺γの側に向けて設置し、また、上記可変プレート２の第４の辺δを持ち上げて傾斜させる場合には、上記図８に示す４つの支持部材固定部３３の内、ＥとＧに支持部材４を設置し、かつ、該支持部材４の傾斜面の高い方の辺（図９中で示す辺Ａ）を、図２に示す第４の辺δの側に向けて設置する。なお、上述の通り、ここで用いられる支持部材４としては長さが異なる３種類を用いることができ、必要な傾斜角度を得るために適宜選択することができる。
【００３１】
このように支持部材４の設置を終えた後に、ゴルフ練習者５は、上記可変プレート２を再び僅かに持ち上げるとともに、可変プレート載置部３１の内壁３１ａにキャスター２９を当接させた補助脚２４を、該補助脚２４にとりつけられたバネ体２３ｄの弾性力に抗しつつ、可変プレート２の下面側へ近接する方向に回動させ、適宜該可変プレート２を降ろし、該可変プレート２の下面を上記支持部材４の傾斜面４３上に載置させる。このような手順により、ゴルフ練習者５はこのゴルフ練習台１をゴルフの練習に適した状態とし、図２に示すように可変プレート２上に乗り、ゴルフボールＢを載置し、ゴルフの練習を行う。なお、図１１，図１２及び図１３は、可変プレート２をそれぞれ長さが異なる支持部材４上に載置した状態を示すものであり、最も長い支持部材４，２番目に長い支持部材４及び最も短い支持部材４をそれぞれ用いた場合の可変プレート２の傾斜した状態を示す。これらの図からも判るように、長い支持部材４を用いることにより、上記可変プレート２のベースプレート３に対する傾斜角度はより急なものとすることができる。なお、これら図１１、図１２及び図１３においては、補助脚２４等やその他符号の記載は適宜省略している。また、可変プレート２の傾斜の方向を変えるため、或いは、可変プレート２の傾斜の角度を変えるために、支持部材４を別の支持部材固定部３３内に取り付ける場合や、長さの異なる支持部材４に交換する場合には、上述の支持部材４の取り付けの手順と同様に、可変プレート２の辺を持ち上げ、適宜支持部材４を取り除き、向きを変えて新たに設置し直し、或いは新たに長さの異なる支持部材４を設置する。また同様に、上述の支持部材４の取り付けの手順と同様に、可変プレート２の辺を持ち上げ、適宜支持部材４を取り除き、可変プレート載置部３１ａ上に可変プレート２を載置することにより、該可変プレート２を水平の状態とすることができる。
【図面の簡単な説明】
【００３２】
【図１】実施の形態に係るゴルフ練習台の構成を示す斜視図である。
【図２】実施の形態に係るゴルフ練習台の構成を示す平面図である。
【図３】実施の形態に係るゴルフ練習台を構成する可変プレートの下面を示す斜視図である。
【図４】実施の形態に係るゴルフ練習台を構成する可変プレートの下面を示す平面図である。
【図５】実施の形態に係るゴルフ練習台の構成するバネ蝶番を示す斜視図である。
【図６】実施の形態に係るゴルフ練習台の構成を示す断面図である。
【図７】実施の形態に係るゴルフ練習台を構成する把持部及び把持用凹部の構成を示す拡大断面図である。
【図８】実施の形態に係るゴルフ練習台を構成するプレート載置部の構成を示す平面図である。
【図９】実施の形態に係るゴルフ練習台を構成する支持部材の構成を示す斜視図である。
【図１０】実施の形態に係るゴルフ練習台を構成する可変プレートが傾斜した際の補助脚が回動する状態を示す断面図である。
【図１１】実施の形態に係るゴルフ練習台を構成する可変プレートが傾斜した状態を示す断面図である。
【図１２】実施の形態に係るゴルフ練習台を構成する可変プレートが傾斜した状態を示す断面図である。
【図１３】実施の形態に係るゴルフ練習台を構成する可変プレートが傾斜した状態を示す断面図である。
【符号の説明】
【００３３】
１    ゴルフ練習台
２    可変プレート
３    ベースプレート
４    支持部材
５    ゴルフ練習者
２３    バネ蝶番
２３ｄ    バネ体
２４    補助脚
２９    キャスター
３１ａ    内壁
３４    固定部側位置決め部
４１，４２    支持部材側位置決め部
４３    傾斜面
Ｂ    ゴルフボール
【図１】
2007143577.tif 000003
【図２】
2007143577.tif 000004
【図３】
2007143577.tif 000005
【図４】
2007143577.tif 000006
【図５】
2007143577.tif 000007
【図６】
2007143577.tif 000008
【図７】
2007143577.tif 000009
【図８】
2007143577.tif 000010
【図９】
2007143577.tif 000011
【図１０】
2007143577.tif 000012
【図１１】
2007143577.tif 000013
【図１２】
2007143577.tif 000014
【図１３】
2007143577.tif 000015